(57)【特許請求の範囲】
【請求項１】
ペニスにフィットするようになされたリング部を備える感覚鈍化用のリング構造であって、
前記リング部はほぼ三角形状の感覚鈍化部を有し、該三角形の底辺部が前記リング部に取り付けられており、
該感覚鈍化部は、実質的に滑らかな外表面と、実質的にビード加工された内表面とを有し、前記リング部がペニスに装着された時に前記感覚鈍化部が該ペニスの亀頭基部の腹部側に接触して支持される、
ことを特徴とするリング構造。
【請求項２】
前記リング部のサイズを調整可能な調整手段を備えることを特徴とする請求項１記載のリング構造。
【請求項３】
前記リング部は、前記亀頭基部から前記ペニスの全長にかけての距離の少なくとも一部又は全部だけ延長していることを特徴とする請求項１又は２記載のリング構造。
【請求項４】
前記三角形状の感覚鈍化部は、生体と反応しないフレキシブルな材料でできていることを特徴とする請求項１乃至３のいずれか１つに記載のリング構造。
【請求項５】
前記リング部と前記感覚鈍化部とは１つのユニットとして形成されていることを特徴とする請求項１乃至４のいずれか１つに記載のリング構造。
【請求項６】
前記感覚鈍化部は前記リング部に別体として取り付けられていることを特徴とする請求項１乃至４のいずれか１つに記載のリング構造。
【請求項７】
振動可能なように電気的又は機械的に駆動されうることを特徴とする請求項１乃至６のいずれか１つに記載のリング構造。
【請求項８】
前記ビード加工部は、前記ペニスと接触したまま機械的に擦ったり振動させても、前記ペニスの皮膚を損傷させることなく刺激を与えうるように形成されていることを特徴とする請求項１乃至７のいずれか１つに記載のリング構造。
【請求項９】
前記ビード加工は、肋骨形状、でこぼこ形状、直線、波線又はジグザグ線形状、或いはその他の隆起部からなる形状であることを特徴とする請求項１乃至８のいずれか１つに記載のリング構造。
【請求項１０】
前記三角形状部は硬直性又は半硬直性であり、前記リングはフレキシブルであることを特徴とする請求項１乃至９のいずれか１つに記載の構造。
【請求項１１】
前記リングから前記三角形部の方向とは実質的に反対方向へ下方へ延びる安定化用の延長部を有し、該安定化部は、使用中に前記リングが内側又は外側へ回転するのを防止することを特徴とする請求項１乃至１０のいずれか１つに記載の構造。
【請求項１２】
手操作で前記ペニスに装着されるようになっていることを特徴とする請求項１乃至１１のいずれか１つに記載の構造。
【請求項１３】
装着具を用いて前記ペニスに装着されるようになっていることを特徴とする請求項１乃至１１のいずれか１つに記載の構造。
【請求項１４】
取り外し自在に装着具に取り付けられていることを特徴とする請求項１３記載のリング構造。
【請求項１５】
装着具をも備えていることを特徴とする請求項１３記載のリング構造。
【発明の詳細な説明】
本発明は、男性の早漏を扱う上での補助具となる装置に関する。早漏は、性的精神科において見かける問題であり、早漏の男性は挿入する前や挿入した直後に絶頂及び射精へと至ってしまう。
【０００１】
これまでも色々な治療法が存在し、試されてきており、様々な有効性が説かれている。現在行われている治療法の１つとして、スクイズ法（Seman Technique)がある。これは、セックスを中断して、ペニスの亀頭を絞るという方法である。この方法では一様な結果が得られず、その有効性が疑われており、あまり満足できるものではない。
【０００２】
薬物療法も試されてきており、興奮剤や精神病治療薬が使用されている。これらの薬物は、継続的に供給するには高価であり、また、そのような薬物を摂取することに伴う副作用やその他の危険性も存在しうる。
【０００３】
そこで、早漏を克服する助けになる装置を創案した。
本発明によれば、ペニスにフィットするようになされたリング部を備える感覚鈍化用のリング構造であって、前記リング部はほぼ三角形状の感覚鈍化部を有し、該三角形の底辺部が前記リング部に取り付けられており、該感覚鈍化部は、実質的に滑らかな外表面と、実質的にビード加工された内表面とを有し、前記リング部がペニスに装着された時に前記感覚鈍化部が該ペニスの亀頭基部の腹部側に接触して支持される、ことを特徴とするリング構造が提供される。
【０００４】
このリングは、手操作で、又は適当な装着具を用いて、ペニスに装着することが可能である。上記装着具は何らかの適当な形状や形態のものでよく、リング構造は、装着具に取り外し自在に取り付けてあるか、或いは装着具に結合して設けられていてもよい。
【０００５】
リング部は、そのサイズを調整する手段を有していてもよく、また、ペニスに装着する際に拡げることができるよう伸縮自在となっていてもよい。
三角形状部は、これをフレキシブルに構成するのであれば、プラスチック材料、ゴム又はゴム含有材料、シリコーン材料のようなフレキシブルな材料でできているのが好ましい。
【０００６】
上記の例の中のいずれか適当な、生体と反応しないフレキシブル材料を、使用可能である。
リングは、生体と反応しない何らかの材料で形成可能であり、三角形状部と同様な材料で形成可能である。一実施の形態においては、リング及び三角形状部は１つのユニットとして形成されている。他の実施の形態においては、三角形状部が、リング部に対し、例えばにかわ付けや溶接等により別体として取り付けられている。
【０００７】
リングに関しての内及び外とは、次のような意味である。すなわち、上記三角形状部の内表面とは、リングの中心の方を向いている表面であり、外表面とはリングの中心から離れていく方を向いている表面である。よって、使用中は、上記のビード加工部は、亀頭の基部に接触して支持されるか、或いは、ペニスの全長に沿ったいずれかの部分に接触して支持される。
【０００８】
三角形状部は、正確な三角形である必要はない。例えば、角が丸みを持っていてもよく、また、斜辺が正確な直線である必要もない。
ビード加工部は、でこぼことなるように形成されている。すなわち、ビード加工部は、ペニスとの接触時に、ペニスの皮膚を傷つけることなく刺激を与えうる程度に、でこぼこになっている。ビード加工の形状は、肋骨形状、でこぼこ形状、隆起部形状、波線形状等である。刺激を与えるのは、ペニスの特に敏感な部分の感覚を鈍化するためである。
【０００９】
使用に際して、リング部は、手操作か、或いは装着具を用いて、三角形状部の頂点がペニスの基部から離れる方向を向くように、ペニスに装着される。三角形状部は、硬直性又は半硬直性のものであってもよく、また、添加物を加えることで補強するようにしてもよい。一実施の形態においては、リング又はバンドの下方へ延びる延長部を備え、この延長部が安定具として作用し、使用中にリングが内側又は外側へ回転するのを防止するようにすることも可能である。
【００１０】
本装置は、装着具から分離して提供されてもよく、或いは、取り外し自在な装着具と共に提供されてもよい。本装置は、ビード加工面がペニスに接触するように、亀頭の基部に着用される。その際、ビード加工面がペニス前方側（腹部側又は下側）の小さな三角形部を覆うようにすることで、この三角形部がビード加工面に擦れて亀頭のその部分の感覚が鈍化される。本装置は、セックスの途中又は前に着用してもよく、また、日中長期間に渡って、又はマスターベーションの際に着用してもよい。
【００１１】
本装置を日中に装着する場合は、きつく締め付けることのないよう、リングの幅を調整可能にしてもよく、或いは、リングをフレキシブルに形成してもよい。
本装置又はリング部は、振動可能なように、例えば機械的又は電気的に駆動されるようにしてもよい。
【００１２】
本装置は、感覚の敏感化を軽減し、それにより早漏癖を軽減させるように作用する。
本装置は、以下の添付図面に示してある。
【００１３】
図１は、本装置の外側を示す図である。
図２は、本装置の内側を示す図である。
図３は、本装置の側面図である。
【００１４】
図４は、使用時における本装置を示す図である。
図５及び図６は、リングが長く延長した装置を示す図である。
図６及び図７は、本発明の他の実施の形態を示す図である。
【００１５】
本装置は、フレキシブルで伸縮自在な材料でできたリング部（１）を備え、このリング部には、三角形状の感覚鈍化部（２）が取り付けられている。（２）の内表面はビード加工又はでこぼこ加工（３）が施され、外表面（４）は滑らかである。図３に示す実施の形態では、 "ベルクロ" （登録商標）接合やバックル／ピン機構のようなサイズ調整手段（５）を備えており、リングのサイズを調整可能にしてある。
【００１６】
図３及び図４に示すように、使用の際は、リングをペニス（６）に装着するが、その場合、三角形状部（２）をペニス前方側（腹部側又は下側）の小さな三角形部（７）内にフィットさせ、ビード加工面（３）を亀頭に接触させると共に外表面（４）を外方へ向けるようにする。フレキシブルなリングを容易に支持又は握持できるようにするために、任意に、リングの厚みを厚くしたり、突起を設けるようにしてもよい。
【００１７】
図５及び図６の実施の形態では、バンド（８）装置がペニスに沿って長く延長されている。
図７及び図８においては、リング又はバンド（１）から下方へ延びる延長部（１０）を備えており、この延長部は、使用の際に、本装置を安定させるのを補助し、リングが内側又は外側へ回転するのを防止する。
【００１８】
本発明の装置は、ペニスの感覚を鈍化させ、早漏癖を軽減させるのに役立つ。
【図面の簡単な説明】
【図１】  本装置の外側を示す図である。
【図２】  本装置の内側を示す図である。
【図３】  本装置の側面図である。
【図４】  使用時における本装置を示す図である。
【図５】  リングが長く延長した装置を示す図である。
【図６】  リングが長く延長した装置を示す図である。
【図７】  本発明の他の実施の形態を示す図である。
【図８】  本発明の他の実施の形態を示す図である。
【図１】
0004022371.tif 000002
【図２】
0004022371.tif 000003
【図３】
0004022371.tif 000004
【図４】
0004022371.tif 000005
【図５】
0004022371.tif 000006
【図６】
0004022371.tif 000007
【図７】
0004022371.tif 000008
【図８】
0004022371.tif 000009